(57)【要約】【課題】端子間における微摺動摩耗を抑制する。【解決手段】フード部５３を有する雄ハウジング５１と、フード部５３内に嵌合される雌ハウジング３１と、雌ハウジング３１内に収容され、雄ハウジング５１に収容された雄端子６０に接続される雌端子２０とを備えたコネクタであって、雌端子２０は、雄端子６０の雄側接続部６１が挿入されて接続される接続筒部２１を有しており、雌ハウジング３１の底壁３１Ｂには、フード部５３内に雌ハウジング３１が嵌合されると、フード部５３の下側内壁に押圧されることで、上方に向かって弾性変形し、雌端子６０を前側に向かって押圧するランス３４が設けられており、雌端子６０には、ランス３４に押圧されることにより、雄側接続部６１を前側に押し出して雄端子６０を雄ハウジング５１の雄側ランス５５に押しつける押し出し部２９が設けられているところに特徴を有する。【選択図】図２
2014120251.tif 000002
【特許請求の範囲】
【請求項１】
フード部を有する雄ハウジングと、
前記フード部内に嵌合される雌ハウジングと、
前記雌ハウジング内に後側から収容され、前記雌ハウジングが前記フード部内に嵌合された際に、前記雄ハウジングに収容された雄端子に接続される雌端子とを備えたコネクタであって、
前記雌端子は、前記雄端子に設けられた雄側接続部が挿入されて接続される接続筒部を有しており、
前記雌ハウジングの外壁には、前記フード部内に前記雌ハウジングが嵌合されると、前記フード部の内壁に押圧されることで、前記雌ハウジング内に向かって変位し、前記雌端子を前側に向かって押圧する押圧部が設けられており、
前記雌端子には、前記押圧部に押圧されることにより、前記接続筒部内に挿入された前記雄側接続部を前側に押し出して前記雄端子を前記雄ハウジングに押しつける押し出し部が設けられているコネクタ。
【請求項２】
前記押圧部は、前記雌端子を前記雌ハウジング内に挿入する過程において、前記雌端子と干渉することで外側に向かって弾性変形し、前記雌端子が前記雌ハウジング内の正規の位置まで至ると、前記雌端子との干渉状態が解除されて弾性復帰することで、前記雌端子を後側から係止するランスである請求項１記載のコネクタ。
【請求項３】
前記雌端子は、前記接続筒部の後端縁から前側に向かって屈曲させた延出片を有しており、
前記延出片の後端部が前記押圧部に押圧される被押圧部とされ、前記延出片の前端部が前記押し出し部とされている請求項１または請求項２記載のコネクタ。
【請求項４】
前記押し出し部は、前記雄側接続部の挿入方向と交差する方向に前記延出片を屈曲させて形成されている請求項３記載のコネクタ。
【請求項５】
前記接続筒部において前記延出片の側方には、前記雌端子が後側に引っ張られた際に、前記押圧部によって後側から係止される被係止部が形成されている請求項３または請求項４記載のコネクタ。
【請求項６】
前記押圧部の前記雌端子と当接する位置には、前記雌ハウジングの内側から外側に向かうほど前方に向かって傾斜するテーパ状の押圧面が形成されている請求項１乃至請求項５の何れか一項に記載のコネクタ。
【請求項７】
前記押圧部には、前記雌ハウジングの外面より外方に突出する突出部が設けられており、
前記雌ハウジングが前記フード部内に嵌合されると前記突出部が前記フード部の内壁に押圧されることで前記押圧部が前記雌ハウジング内に向かって変位する請求項１乃至請求項６の何れか一項に記載のコネクタ。
【請求項８】
前記押圧部は、前記雌端子が前記雌ハウジングに対して半挿入状態のときに、前記フード部の開口縁に当接することで前記フード部内への前記雌ハウジングの挿入を規制する半挿入検知面を有している請求項１乃至請求項７の何れか一項に記載のコネクタ。
【発明の詳細な説明】
【技術分野】
【０００１】
本発明は、コネクタに関する。
【背景技術】
【０００２】
従来、雄端子に設けられた雄側接続部が挿入される接続筒部を備えた雌端子として、特許文献１に記載のものが知られている。
接続筒部内には、雄側接続部に弾性的に接触することで、雄側接続部と電気的に接続される弾性接触片が形成されている。弾性接触片の幅方向中央には突部が形成されており、この突部は、雄側接続部の挿入方向に延びる形態で雄側接続部の下面に形成された凹溝に嵌合可能とされている。そして、雄側接続部と弾性接触片とが電気的に接続されると、突部が凹溝内に嵌合され、雄側接続部と弾性接触片とが互いに幅方向に移動することが阻止されることにより、雄側接続部と弾性接触片との間の微摺動が抑制されている。
【先行技術文献】
【特許文献】
【０００３】
【特許文献１】特開２００１−３５１７１２号公報
【発明の概要】
【発明が解決しようとする課題】
【０００４】
ところで、これらの端子をハウジング内に抜け止めする手段としては、例えば、ハウジング内に設けられたランスによって端子を後方から係止する方法がある。
ところが、一般に、ランスは、ランスの基端部を支点にランスの前端部が円弧状を描くように弾性変形可能に構成されているから、端子の挿入過程において、ランスは端子との干渉により、ランスの前端部が斜め前方に変位するように弾性変形し、端子が正規に挿入されると弾性復帰することで、端子を後方から係止する。このため、端子が正規の位置まで挿入されてランスが弾性復帰した状態では、端子とランスとの間にランスが斜め前方に変位した分だけクリアランスが存在することになる。したがって、雄端子を収容する雄ハウジングと雌端子を収容する雌ハウジングとが嵌合された状態で振動を受けると、各ハウジング内において端子が前後方向にがたつき、雌端子の弾性接触片と雄端子のタブとの間でいわゆる微摺動摩耗が生じて、端子間の接触抵抗が増大してしまう虞がある。
【０００５】
本発明は上記のような事情に基づいて完成されたものであって、端子間における微摺動摩耗を抑制することを目的とする。
【課題を解決するための手段】
【０００６】
上記の目的を達成するための手段として本発明は、フード部を有する雄ハウジングと、前記フード部内に嵌合される雌ハウジングと、前記雌ハウジング内に後側から収容され、前記雌ハウジングが前記フード部内に嵌合された際に、前記雄ハウジングに収容された雄端子に接続される雌端子とを備えたコネクタであって、前記雌端子は、前記雄端子に設けられた雄側接続部が挿入されて接続される接続筒部を有しており、前記雌ハウジングの外壁には、前記フード部内に前記雌ハウジングが嵌合されると、前記フード部の内壁に押圧されることで、前記雌ハウジング内に向かって変位し、前記雌端子を前側に向かって押圧する押圧部が設けられており、前記雌端子には、前記押圧部に押圧されることにより、前記接続筒部内に挿入された前記雄側接続部を前側に押し出して前記雄端子を前記雄ハウジングに押しつける押し出し部が設けられているところに特徴を有する。
【０００７】
このような構成のコネクタによると、雄端子を雄ハウジングに押しつけることで、雄ハウジングにおける雄端子の前後方向のがたつきを抑制すると共に、雄側接続部と雌ハウジングの押圧部とによって雌端子を前後方向に挟み付けることで、雌ハウジングにおける雌端子の前後方向のがたつきをなくすことができる。これにより、接続筒部と雄側接続部との間において微摺動摩耗が生じることを抑制し、端子間の接触抵抗の増加を抑制することができる。
【０００８】
本発明の実施の態様として、以下の構成が好ましい。
前記押圧部は、前記雌端子を前記雌ハウジング内に挿入する過程において、前記雌端子と干渉することで外側に向かって弾性変形し、前記雌端子が前記雌ハウジング内の正規の位置まで至ると、前記雌端子との干渉状態が解除されて弾性復帰することで、前記雌端子を後側から係止するランスである構成としてもよい。
このような構成によると、雌端子を後側から係止するランスを、押圧部として兼用することができる。これにより、押圧部を雌ハウジングに別途設ける場合に比べて、雌ハウジングの構造を簡素化することができ、雌ハウジングが大型化することを抑制することができる。
【０００９】
前記雌端子は、前記接続筒部の後端縁から前側に向かって屈曲させた延出片を有しており、前記延出片の後端部が前記押圧部に押圧される被押圧部とされ、前記延出片の前端部が前記押し出し部とされている構成としてもよい。
このような構成によると、押圧部によって押圧される押圧力を、延出片のみを介して雄側接続部に伝えることができるから、例えば、接続筒部において、押し出し部と被押圧部とを個別に形成する場合に比べて、押圧部によって被押圧部を確実に押圧することができると共に、接続筒部の構造を簡素化することができる。
【００１０】
前記押し出し部は、前記雄側接続部の挿入方向と交差する方向に前記延出片を屈曲させて形成されている構成としてもよい。
このような構成によると、接続筒部内において雄側接続部が挿入方向と交差する方向に位置ずれしたとしても、雄側接続部と押し出し部とを当接し易くすると共に、雄側接続部を押し出し部によって確実に押し出すことができる。
【００１１】
前記接続筒部において前記延出片の側方には、前記雌端子が後側に引っ張られた際に、前記押圧部によって後側から係止される被係止部が形成されている構成としてもよい。
例えば、延出片の後端部である被押圧部のみが押圧部によって後側から係止される場合、雌端子が後側に強く引っ張られると、延出片が前側に向かって過度撓みすることで、延出片が破損する虞がある。ところが上記の構成によると、雌端子が後側に強く引っ張られた際には、被係止部が押圧部によって後側から係止されるから、延出片を破損させることなく、雌端子を確実に抜け止めすることができる。
【００１２】
前記押圧部の前記雌端子と当接する位置には、前記雌ハウジングの内側から外側に向かうほど前方に向かって傾斜するテーパ状の押圧面が形成されている構成としてもよい。
このような構成によると、押圧部が変位する際に、押圧面によって端子を滑らかに前側に押圧することができる。これにより、雄ハウジングのフード部へ雌ハウジングを円滑に挿入することができ、作業性・操作感に優れる。
【００１３】
前記押圧部には、前記雌ハウジングの外面より外方に突出する突出部が設けられており、前記雌ハウジングが前記フード部内に嵌合されると前記突出部が前記フード部の内壁に押圧されることで前記押圧部が前記雌ハウジング内に向かって変位する構成としてもよい。
例えば、押圧部を雌ハウジング内に向かって変位させる手段として、フード部内に突起を設け、フード部と雌ハウジングとが正規の嵌合状態に至った際に、突起によって押圧部を雌ハウジング内に押圧するといった方法も考えられる。しかしながら、このような構成によると、フード部内に突起を設けるための型抜き孔を設ける必要ある。
ところが、上記の構成によると、押圧部に突出部を設けるだけで、押圧部を雌ハウジング内に向かって変位させることができる。すなわち、雄ハウジングの構成を変更することなく、押圧部を雌ハウジング内に向かって変位させることができる。
【００１４】
前記押圧部は、前記雌端子が前記雌ハウジングに対して半挿入状態のときに、前記フード部の開口縁に当接することで前記フード部内への前記雌ハウジングの挿入を規制する半挿入検知面を有している構成としてもよい。
このような構成によると、雄ハウジングのフード部と雌ハウジングとが嵌合できないことで、雌端子が半挿入であることを検知することができる。すなわち、雌端子および雄端子のがたを詰めると共に、雌端子を後側から係止するランスを、雌端子の半挿入検知機構として兼用することができる。これにより、３つの機能を個別に設ける場合に比べて、コネクタの構造を格段に簡素化することができる。
【発明の効果】
【００１５】
本発明によれば、端子間における微摺動摩耗を抑制することができる。
【図面の簡単な説明】
【００１６】
【図１】実施形態１における雌コネクタと雄コネクタとの嵌合前の状態を示す断面図
【図２】雌コネクタと雄コネクタとの嵌合後の状態を示す断面図
【図３】雌端子の被係止部が雌ハウジングのランスによって後方から係止された状態を示す断面図
【図４】雌ハウジングに雌端子を挿入する前の状態を示す断面図
【図５】電線に接続された雌端子の斜視断面図
【図６】実施形態２における雌コネクタと雄コネクタとの嵌合後の状態を示す断面図
【発明を実施するための形態】
【００１７】
＜実施形態１＞
本発明の実施形態１について図１乃至図５を参照して説明する。
本実施形態のコネクタは、図１に示すように、電線Ｗの端末に接続される雄コネクタ５０と、雄コネクタ５０に嵌合される雌コネクタ３０とを備えて構成されている。なお、以下の説明において、上下方向とは、図１における上下方向を基準とし、前後方向とは図１における左右方向を基準とし、雌コネクタ３０と雄コネクタ５０とが互いに嵌合する側を前側として説明する。
【００１８】
雄コネクタ５０は、図１に示すように、合成樹脂製の雄ハウジング５１と、雄ハウジング５１内に収容される雄端子６０とを備えて構成されている。
雄端子６０は、導電性を有する金属板材をプレス加工することにより形成されており、前後方向に延びる幅広なタブ状の雄側接続部６１と、雄側接続部６１の後方に連なる箱形状の本体部６２と、本体部６２の後方に連なる雄側電線接続部６３とを備えて構成されている。
雄側電線接続部６３は、電線Ｗの端末に露出された芯線に圧着されるワイヤバレル部６４と、電線Ｗの絶縁被覆に圧着されるインシュレーションバレル部６５とを備えて構成されており、ワイヤバレル部６４とインシュレーションバレル部６５とが電線Ｗに圧着されることで、雄端子６０が電線Ｗに対して電気的に接続されている。
【００１９】
雄ハウジング５１は、前後方向に長い形態をなしており、雄端子６０を収容する端子収容部５２と、端子収容部５２の前方に連なって設けられたフード部５３とを備えて構成されている。
端子収容部５２の内部には、前後方向に貫通する雄側キャビティ５４が設けられており、この雄側キャビティ５４内には、後方から雄端子６０が収容されるようになっている。また、雄側キャビティ５４内には、雄側キャビティ５４に収容された雄端子６０を後方から係止する雄側ランス５５が設けられている。雄側ランス５５は、雄側キャビティ５４の下側内壁から前方に向かって斜め上方に片持ち状に延びる形態をなしており、下方向に弾性変形可能とされている。そして、雄側ランス５５は、雄側キャビティ５４内に後方から雄端子６０が挿入されると、雄端子６０の本体部６２と干渉して下方に向かって弾性変形する。また、雄端子６０が正規の位置まで挿入されると、雄側ランス５５と本体部６２との干渉状態が解除され、雄側ランス５５が弾性復帰することで雄側ランス５５が本体部６２の下端部に設けられたランス孔６６に嵌まり込み本体部６２を後方から係止している。
【００２０】
なお、雄側ランス５５は片持ち状をなしているため、雄側ランス５５の基端部を支点に雄側ランス５５の前端部が斜め前方に変位するように弾性変形する。このため、雄端子６０が正規の位置まで挿入されて雄側ランス５５が弾性復帰した状態では、図１に示すように、ランス孔６６の前側内壁と雄側ランス５５との間には雄側ランス５５が斜め前方に変位した分だけクリアランスＣが生じている。
【００２１】
フード部５３は、前方に向かって略矩形状に開口しており、フード部５３の奥壁５３Ａからは端子収容部５２に収容された雄端子６０の雄側接続部６１が前方に突出している。
【００２２】
雌コネクタ３０は、電線Ｗの端末に接続される雌端子２０と、雌端子２０が収容される雌ハウジング３１とを備えて構成されている。
雌端子２０は、導電性を有する金属板材をプレス加工することにより形成されており、図４および図５に示すように、雄端子６０の雄側接続部６１が挿入される接続筒部２１と、接続筒部２１の後方に連なって設けられた電線接続部２２とを備えて構成されている。
【００２３】
接続筒部２１は、横方向に幅広な略角筒状をなし、接続筒部２１の内部には、前端上縁から後方に向かって折り返された弾性接触片２３が設けられている。弾性接触片２３は、上方向に弾性変形可能とされており、弾性接触片２３の下面には、下方に向かって膨出する接点部２３Ａが設けられている。そして、雄側接続部６１が接続筒部２１内に挿入されると、図２に示すように、接続筒部２１の底板２１Ａと弾性接触片２３とが上下方向に雄側接続部６１を弾性的に挟み付け、接点部２３Ａが雄側接続部６１に接触することで、雄側接続部６１と弾性接触片２３とが電気的に接続されるようになっている。
接続筒部２１の後端下縁における幅方向両側には、図３乃至図５に示すように、後述する雌ハウジング３１のランス(「押圧部」の一例)３４によって後方から係止される一対の被係止部２６が形成されている。これらの被係止部２６は、前方に向かうほど内側から外側に向かって傾斜するテーパ状に形成されている。
【００２４】
電線接続部２２は、電線Ｗの端末に露出された芯線に圧着されるワイヤバレル部２４と、電線Ｗの絶縁被覆に圧着されるインシュレーションバレル部２５とを備えて構成されており、ワイヤバレル部２４とインシュレーションバレル部２５とが電線Ｗに圧着されることで、雌端子２０が電線Ｗに対して電気的に接続されている。
【００２５】
雌ハウジング３１は、図１および図４に示すように、前後方向に長いブロック状をなしており、雄ハウジング５１のフード部５３内に適合して嵌合されるようになっている。なお、図示省略されているが、雌ハウジング３１と雄ハウジング５１とは、両ハウジング３１，５１に亘って設けられたロック機構によって嵌合状態にロックされるようになっている。
【００２６】
雌ハウジング３１の内部には、前後方向に開口するキャビティ３２が形成されており、キャビティ３２の後端開口から雌端子２０が収容されるようになっている。また、キャビティ３２の前端開口は、雌ハウジング３１の前壁３１Ａに設けられた端子挿通孔３３とされ、フード部５３内に雌ハウジング３１が嵌合されると、図２に示すように、雄端子６０の雄側接続部６１が端子挿通孔３３を通して雌端子２０の接続筒部２１に挿入されるようになっている。
また、雌ハウジング３１には、図１乃至図４に示すように、キャビティ３２内に収容された雌端子２０を後方から係止するランス（「押圧部」の一例）３４が形成されている。このランス３４は、雌ハウジング３１の底壁３１Ｂにスリット３５を設けることで前後方向に延びる片持ち状に形成されており、ランス３４の前端部は自由端とされている。また、ランス３４は、上下方向に弾性変形可能とされており、雌ハウジング３１の前後方向略中央部に位置している。
【００２７】
ランス３４の前側上端部には、上方に突出した形態の端子係止部３６が設けられている。この端子係止部３６は、前後方向略中央部に頂点を有する山形状に形成されている。このため、端子係止部３６の前面は、前側に向かうほど下側(雌ハウジング３１の内側から外側）に向かって傾斜するテーパ状をなし、端子係止部３６の後面は、後側に向かうほど下側に向かって傾斜するテーパ状をなしている。そして、キャビティ３２内に雌端子２０が後方から挿入されると、雌端子２０の接続筒部２１が端子係止部３６の後面に後方から当接して、接続筒部２１が端子係止部３６に乗り上げ、ランス３４を下方に向かって弾性変形させる。そして、雌端子２０が正規の位置に至ると、接続筒部２１と端子係止部３６との干渉状態が解除されてランス３４が弾性復帰し、接続筒部２１の後端下縁における一対の被係止部２６が端子係止部３６によって後方から係止され、雌端子２０が雌ハウジング３１内に抜け止めされる。
【００２８】
また、ランス３４の前端面は、雌ハウジング３１の底壁３１Ｂにおける外底面と略直交となる切り立った半挿入検知面３７とされている。
この半挿入検知面３７は、雌端子２０がキャビティ３２内において正規の位置よりも後方に配置された半挿入状態のときに、端子係止部３６と接続筒部２１とが干渉してランス３４が下方に弾性変形した状態となることで下方に突出し、雌ハウジング３１の底壁３１Ｂにおける外底面と略直交に交差した状態となるように設定されている。したがって、雌端子２０が半挿入状態で雌ハウジング３１をフード部５３内に挿入しようとすると、半挿入検知面３７がフード部５３の開口縁に当接して、フード部５３内への雌ハウジング３１の挿入が規制されるようになっている。つまり、雌端子２０が半挿入状態の雌コネクタ３０が雄コネクタ５０に嵌合されることを規制することができるようになっている。
【００２９】
さて、ランス３４の前側下端部（端子係止部３６が設けられた位置の下側）には、図１に示すように、ランス３４が弾性変形しない自然状態において、雌ハウジング３１の底壁３１Ｂにおける外底面よりも下方に突出する突出部３８が設けられている。この突出部３８は、前後方向略中央部に頂点を有して前後方向に傾斜する山形状に形成されており、雌ハウジング３１がフード部５３内に嵌合されると、図２に示すように、フード部５３の下側内壁によって上方に押圧され、ランス３４を雌ハウジング３１の内側である上方に向かって弾性変形させるようになっている。
【００３０】
一方、接続筒部２１の後端下縁における幅方向略中央部には、ランス３４が上方に弾性変形した際に、端子係止部３６の前面である押圧面３９によって斜め前上方に押圧される延出片２７が設けられている。
延出片２７は、接続筒部２１の後端下縁から斜め前上方に向かって折り返すように屈曲されて真っ直ぐ延出された形態をなしており、延出片２７の後端部に位置する屈曲された部分が押圧面３９によって押圧される被押圧部２８とされている。
【００３１】
また、延出片２７における前端部は、延出片２７がランス３４の押圧面３９によって押圧された際に、接続筒部２１内に挿入された雄端子６０の雄側接続部６１を前側（雄コネクタ５０側）に向かって押し出し、雄端子６０を雄ハウジング５１の雄側ランス５５に押しつける押し出し部２９とされている。
【００３２】
詳細には、押し出し部２９は、ランス３４が弾性変形しない自然状態では、接続筒部２１における底板２１Ａの高さ位置と弾性接触片２３における接点部２３Ａの高さ位置との間の高さ位置に配されている。そして、雌ハウジング３１がフード部５３内に挿入されて、フード部５３の下側内壁とランス３４の突出部３８とが干渉することによりランス３４が上方に弾性変形すると、延出片２７がランス３４の押圧面３９によって押圧され、僅かに斜め前上方に弾性変位する。そして、雌ハウジング３１と雄ハウジング５１のフード部５３とが正規に嵌合されると、図２に示すように、押し出し部２９の下面が接続筒部２１内に進入した雄側接続部６１の先端に当接し、雄側接続部６１を雄ハウジング５１側に弾性的に押し出す。すると、雄ハウジング５１内における雄端子６０が後方に移動して雄端子６０と雄側ランス５５との間のクリアランスＣが詰められ、雄端子６０が雄側ランス５５に押しつけられるようになっている。
【００３３】
すなわち、両ハウジング３１，５１が正規の嵌合状態に至ると、雄端子６０の雄側接続部６１と雌端子２０の延出片２７とが前後方向に当たり合うと共に、前後方向に当たり合った雄端子６０と雌端子２０とが、雄ハウジング５１の雄側ランス５５と雌ハウジング３１のランス３４とによって前後方向に挟持されるようになっている。
なお、延出片２７が前側に向かって弾性変形した変位量が、ランス孔６６の前側内壁と雄側ランス５５との間のクリアランスＣの寸法よりも大きい場合には、延出片２７が斜め上後方に弾性変形することにより、変位量とクリアランスＣとの差分を吸収することができるようになっている。
【００３４】
本実施形態のコネクタは、以上のような構成であって、続いてその作用を説明する。
まず、雌コネクタ３０の組み付け手順を説明する。
図４に示すように、電線Ｗに接続された雌端子２０と、雌ハウジング３１とを準備し、雌ハウジング３１のキャビティ３２に雌端子２０を後方から挿入する。
キャビティ３２に対して雌端子２０が半分程度挿入されると、接続筒部２１の前側下端部がランス３４の端子係止部３６に後方から当接して接続筒部２１が端子係止部３６に乗り上げ、ランス３４を下方に向かって弾性変形させる。そして、雌端子２０が正規の位置に至ると、接続筒部２１と端子係止部３６との当接状態が解除され、ランス３４が弾性復帰することで、接続筒部２１の一対の被係止部２６が端子係止部３６によって後方から係止される。これにより、雌端子２０が雌ハウジング３１内に抜け止めされ、雌コネクタ３０が完成する。
【００３５】
次に、雄コネクタ５０の組み付け手順を説明する。
雄ハウジング５１と、電線Ｗに接続された雄端子６０とを準備し、雄側キャビティ５４内に雄端子６０を後方から挿入する。すると、挿入過程において、雄端子６０の本体部６２が雄側ランス５５に後方から当接して雄側ランス５５に乗り上げ、雄側ランス５５が斜め前方に変位するように弾性変形する。そして、雄端子６０が正規の位置まで挿入されると、雄側ランス５５と本体部６２との干渉状態が解除されて雄側ランス５５が弾性復帰することにより、雄側ランス５５が本体部６２のランス孔６６に嵌まり込んで後方から係止される。これにより、雄端子６０が雄ハウジング５１に抜け止めされ、雄コネクタ５０が完成する。また、この段階では、雄側ランス５５とランス孔６６の前側内壁との間には、雄側ランス５５が斜め前方に変位した分だけクリアランスＣを有した状態となっている。
【００３６】
雌コネクタ３０と雄コネクタ５０とが完成したところで、図１に示すように、両コネクタ３０，５０を向かい合わせに配置し、雄ハウジング５１のフード部５３内に雌コネクタ３０を挿入して嵌合させる。
ここで、フード部５３に対して雌ハウジング３１が半分程度挿入されると、フード部５３の開口縁に雌ハウジング３１のランス３４における突出部３８が後方から当接して乗り上げ、フード部５３の下側内壁によって突出部３８が上方に押圧され、ランス３４が雌ハウジング３１の内側である上方に向かって弾性変形する。
【００３７】
ところが、仮に雌端子２０がキャビティ３２に対して半挿入状態の場合には、端子係止部３６と接続筒部２１との当接状態が解除されず、ランス３４が下方に弾性変形した状態のままとなって、半挿入検知面３７が下方に突出した状態となる。つまり、フード部５３に雌ハウジング３１を挿入する際に、半挿入検知面３７がフード部５３の開口縁に当接し、雌端子２０が半挿入状態の雌コネクタ３０の挿入を規制することができる。すなわち、ランス３４を半挿入検知機構として兼用することで、雌端子２０が半挿入状態のままの雌コネクタ３０を雄コネクタ５０に嵌合させることを防ぐことができる。
【００３８】
また、フード部５３に対して雌ハウジング３１が嵌合され、ランス３４が上方に向かって弾性変形すると、端子係止部３６の押圧面３９が延出片２７の被押圧部２８を斜め下後方から押圧し、延出片２７が斜め前上方に向かって僅かに弾性変形する。
【００３９】
この状態のまま、更に雄ハウジング５１と雌ハウジング３１とを嵌合させ、両ハウジング３１，５１が正規の嵌合状態に至ると、図２に示すように、雄端子６０の雄側接続部６１が雌ハウジング３１の端子挿通孔３３を通して雌端子２０の接続筒部２１内に進入し、接続筒部２１の弾性接触片２３と雄側接続部６１とが電気的に接続される。
また、これと同時に、延出片２７の押し出し部２９が雄側接続部６１の先端に当接し、押し出し部２９が雄側接続部６１を雄ハウジング５１側に弾性的に押圧する。すると、雄ハウジング５１内における雄端子６０が後方に移動し、本体部６２におけるランス孔６６の前側内壁と雄側ランス５５との間のクリアランスＣが詰められて、雄端子６０が雄側ランス５５に押しつけられる。
【００４０】
これにより、前後方向に当たり合った雄端子６０と雌端子２０とが、雄ハウジング５１の雄側ランス５５と雌ハウジング３１のランス３４とによって前後方向に挟持され、両ハウジング３１，５１内において雄端子６０および雌端子２０が前後方向にがたつくことを防ぐことができる。ひいては、接続筒部２１の弾性接触片２３と雄側接続部６１との間において微摺動摩耗が生じることを抑制し、端子２０，６０間の接触抵抗の増加を抑制することができる。
【００４１】
また、本実施形態によると、延出片２７の前端部が雄側接続部６１を押圧する押し出し部２９とされ、延出片２７の後端部がランス３４の押圧面３９に押圧される被押圧部２８とされているから、ランス３４によって押圧される押圧力を、延出片２７のみを介して雄側接続部６１に伝えることができる。すなわち、例えば、接続筒部の上下に押し出し部と被押圧部とが分かれて形成される場合に比べて、押圧力を雄側接続部６１に確実に伝えることができると共に、接続筒部２１の構造を簡素化することができる。
【００４２】
また、フード部５３への雌ハウジング３１の挿入過程において、延出片２７の被押圧部２８を押圧するランス３４の押圧面３９がテーパ状に形成されているから、押圧面３９によって接続筒部２１を雄ハウジング５１側に向かって滑らかに押し出すことができる。つまり、フード部５３に対して雌ハウジング３１を円滑に挿入することができ、作業性・操作感に優れる。
また、延出片２７の後端部に位置する屈曲された部分を被押圧部２８としているから、例えば、被押圧部が角部として形成される場合に比べて、押圧面３９が被押圧部２８に削られて損傷することを抑制することができる。
【００４３】
以上のように、本実施形態では、雌ハウジング３１と雄ハウジング５１のフード部５３とを嵌合させるだけで、前後方向に当たり合った雄端子６０と雌端子２０とを、雄ハウジング５１の雄側ランス５５と雌ハウジング３１のランス３４とによって前後方向に挟持することができる。これにより、両ハウジング３１，５１内において雄端子６０および雌端子２０が前後方向にがたつくことを防ぐことができ、接続筒部２１の弾性接触片２３と雄側接続部６１との間において微摺動摩耗が生じることを抑制することができる。
【００４４】
また、雌端子２０の半挿入状態を検知すると共に、雌端子２０を後側から係止するランス３４を、雌端子２０の延出片２７を押圧する押圧部として兼用することができるから、機能毎に部材を個別に設ける場合に比べて、雌コネクタ３０の構造を格段に簡素化することができる。これにより、雌コネクタ３０と共に、雄コネクタ５０が大型化することを抑制することができる。
【００４５】
ところで、例えば、雌ハウジングのランスを上方に向かって変位させる手段としては、フード部内に突起を設け、フード部と雌ハウジングとが正規の嵌合状態に至った際に、突起によってランスを上方に弾性変形させるといった方法も考えられる。しかしながら、このような構成によると、フード部に突起を設けるための型抜き孔を設ける必要ある。ところが、本実施形態によると、フード部５３の下側内壁によって押圧される突出部３８を、ランス３４の前側下端部に設けるだけで、ランス３４を上方に向かって変位させることができる。すなわち、雄コネクタ５０の構成を変更することなく、ランス３４を上方に向かって弾性変形させることができる。
【００４６】
また、例えば、延出片の後端部である被押圧部のみを端子係止部によって後側から係止することで、雌端子を雌ハウジング内に抜け止めする方法も考えられるが、電線が引っ張られるなどして雌端子が後側に強く引っ張られると、延出片が前側に向かって過度撓みすることで、延出片が破損する虞がある。ところが本実施形態によると、雌端子２０が後側に強く引っ張られた際には、延出片２７の両側に設けられた一対の被係止部２６が端子係止部３６によって後側から係止されるから、延出片２７を破損させることなく、雌端子２０を確実に抜け止めすることができる。
【００４７】
＜実施形態２＞
次に、本発明の実施形態２について図６を参照して説明する。
実施形態２の雌コネクタ１３０は、実施形態１における延出片２７の押し出し部２９の形状を変更したものであって、実施形態１と共通する構成、作用、および効果については重複するため、その説明を省略する。また、実施形態１と同じ構成については同一の符号を用いるものとする。
【００４８】
実施形態２の延出片１２７における押し出し部１２９は、延出片１２７の前端部を上方に向かって屈曲させることにより形成されており、押し出し部１２９の前面が雄端子６０の挿入方向である前後方向と略直交に交差した状態となっている。
すなわち、接続筒部２１内において雄側接続部６１の先端が上下方向に僅かに位置ずれしたとしても、雄側接続部６１と押し出し部１２９とを当接し易くすると共に、押し出し部１２９によって雄側接続部６１をしっかりと押し出すことができる。
【００４９】
＜他の実施形態＞
本発明は上記記述及び図面によって説明した実施形態に限定されるものではなく、例えば次のような実施形態も本発明の技術的範囲に含まれる。
（１）上記実施形態では、雌端子２０を後方から係止する係止機能と、雌端子２０を前方に押圧する押圧機能と、雌端子２０の半挿入を検知する半挿入検知機能とをランス３４に設けた構成としたが、本発明はこのような態様に限定されるものではなく、例えば、ランスとは別に半挿入検知部を構成してもよく、ランスとは別に押圧部を構成してもよい。
（２）上記実施形態では、延出片２７の前端部を押し出し部２９とし、延出片２７の後端部を被押圧部２８として構成したが、本発明はこのような態様に限定されるものではなく、例えば、接続筒部の天井板側に押し出し部を形成し、接続筒部の底板側に被押圧部を形成するなど、押し出し部と被押圧部とを接続筒部の別々の場所に形成してもよい。
（３）上記実施形態では、雌ハウジング３１の底壁３１Ｂにランス３４を設けた構成としたが、本発明はこのような態様に限定されるものではなく、例えば、雌ハウジングの側壁や天井壁にランスを設けた構成にしてもよい。
（４）上記実施形態では、延出片２７の両側に一対の被係止部２６を設けた構成としたが、本発明はこのような態様に限定されるものではなく、例えば、延出片の片側にのみ被係止部が形成された構成にしてもよい。
（５）上記実施形態１では、押し出し部２９の下面に雄側接続部６１を当接させる構成としたが、本発明はこのような態様に限定されるものではなく、例えば、延出片を前後方向に延出された形態に構成し、押し出し部の前端面（延出片の前端面）に雄側接続部を突き合わせて押し出す構成にしてもよい。
【符号の説明】
【００５０】
２０：雌端子
２１：接続筒部
２６：被係止部
２７，１２７：延出片
２８：被押圧部
２９，１２９：押し出し部
３１：雌ハウジング
３４：ランス(押圧部)
３７：半挿入検知面
３８：突出部
３９：押圧面
５１：雄ハウジング
５３：フード部
６０：雄端子
６１：雄側接続部
【図１】
2014120251.tif 000003
【図２】
2014120251.tif 000004
【図３】
2014120251.tif 000005
【図４】
2014120251.tif 000006
【図５】
2014120251.tif 000007
【図６】
2014120251.tif 000008